(57)【要約】【課題】量産安定性に優れ、出光面の発光が均一な導光板及びその製造方法を提供する。【解決手段】表面側を出光面１２とし、該出光面１２と反対側の面を反射面１４とし、該反射面１４に光拡散材含有インクを複数のドット状に塗布することにより、入光端面１６から入射された光を散乱させて出光面１２から出光させる導光板１０において、前記インクは、輝度の異なる２種以上のものが用いられており、一の領域に塗布されたドットの密度が、該一の領域より前記入光端面から離れた他の領域に塗布されたドットの密度と同一又はそれよりも小さくし、一の領域に塗布されるインクの輝度が、該一の領域により前記入光端面から離れた他の領域に塗布されるインクの輝度と同一又はそれよりも小さくすることによって、前記反射面１４の前記入光端面１６により近い領域の輝度がより小さくなるように調整されていることを特徴とする。【選択図】図１
2011065970.tif 000002
【特許請求の範囲】
【請求項１】
表面側を出光面とし、該出光面と反対側の面を反射面とし、該反射面に光拡散材含有インクを複数のドット状に塗布することにより、入光端面から入射された光を散乱させて出光面から出光させる導光板において、
前記インクは、輝度の異なる２種以上のものが用いられており、
一の領域に塗布されたドットの密度が、該一の領域より前記入光端面から離れた他の領域に塗布されたドットの密度と同一又はそれよりも小さくし、
一の領域に塗布されるインクの輝度が、該一の領域により前記入光端面から離れた他の領域に塗布されるインクの輝度と同一又はそれよりも小さくすることによって、
前記反射面の前記入光端面により近い領域の輝度がより小さくなるように調整されていることを特徴とする導光板。
【請求項２】
前記入光端面に最も近い、前記インクが塗布された領域のドットの密度は、入光端面に２番目に近い領域のドットの密度と同一であり、
前記入光端面に最も近い領域に塗布されるインクの輝度は、前記入光端面に２番目に近い領域に塗布されたインクの輝度よりも小さいことを特徴とする請求項１記載の導光板。
【請求項３】
一の領域に塗布されたドットの径が、該一の領域より前記入光端面よりの前記他の領域に塗布されたドットの径と同一又はそれよりも大きいことを特徴とする請求項１又は２記載の導光板。
【請求項４】
前記インクは、スクリーン印刷で塗布されていることを特徴とする請求項１乃至３いずれか記載の導光板。
【請求項５】
入光端面から入射された光を散乱させ、散乱させた光を出光面から光を出光する導光板の出光面と反対側の反射面の一の領域に光拡散材含有インクを複数のドット状に塗布する第１塗布工程と、
前記一の領域に塗布されるインクの輝度と同一又はそれより大きな輝度を有する光拡散材含有インクを前記一の領域よりも入光端面から離れた他の領域に前記一の領域に塗布されたドットの密度と同一又はそれよりも大きな密度で複数のドット状に塗布する第２塗布工程と
を備え、
前記反射面の前記入光端面により近い領域の輝度がより小さくなるように調整されていることを特徴とする導光板の製造方法。
【発明の詳細な説明】
【技術分野】
【０００１】
本発明は、携帯電話等のキーマット等を照光するのに用いられる導光板及びその製造方法に関する。
【背景技術】
【０００２】
従来から、携帯電話等のキーマット等を照光するために、表面に出光面が形成され、その反対側の面にドット状の光拡散材含有インクが塗布された反射面が形成された導光板が用いられているが、導光板の出光面を均一に発光させるため、光源から離れた領域の輝度を大きくすることが行われている。光源から離れた領域の輝度を大きくする方法として、例えば、光源に近い領域に塗布されるドットの径を短くするなどがある（特許文献１）。このように光源からの遠近により反射面の輝度を調整することによって、光源に近い領域の光拡散量を小さくし、光源から離れた領域の光拡散量を大きくすることができ、出光面の発光を均一にすることができる。したがって、光源に近い領域に塗布されるドットの径をより短くすることができれば、出光面の発光をより均一にすることができる。このようなドットの塗布は、スクリーン印刷などによって行われている。
【先行技術文献】
【特許文献】
【０００３】
【特許文献１】特開平５−３２３１２４
【発明の概要】
【発明が解決しようとする課題】
【０００４】
しかしながら、スクリーン印刷法によって塗布されるドットは、その径が約０．１ｍｍ以下になると、連続印刷により目詰まりが生じやすくなり、量産するとパターンがかすれるため、ドットの径による輝度の調整には限界があるという問題がある。そこで本発明は、量産安定性に優れ、出光面の発光が均一な導光板及びその製造方法を提供することを目的とする。
【課題を解決するための手段】
【０００５】
以上の目的を達成するために、本発明は、表面側を出光面とし、該出光面と反対側の面を反射面とし、該反射面に光拡散材含有インクを複数のドット状に塗布することにより、入光端面から入射された光を散乱させて出光面から出光させる導光板において、前記インクは、輝度の異なる２種以上のものが用いられており、一の領域に塗布されたドットの密度が、該一の領域より前記入光端面から離れた他の領域に塗布されたドットの密度と同一又はそれよりも小さくし、一の領域に塗布されるインクの輝度が、該一の領域により前記入光端面から離れた他の領域に塗布されるインクの輝度と同一又はそれよりも小さくすることによって、前記反射面の前記入光端面により近い領域の輝度がより小さくなるように調整されていることを特徴とする。
【０００６】
このように本発明に係る導光板は、ドットの密度だけでなく、輝度が異なる２種類以上の光拡散材含有インクを用いているので、入光端面に最も近いインクが塗布された領域のドットの密度を２番目に近い領域のドットの密度と同一とし、その最も近い領域に塗布されるインクの輝度をその２番目に近い領域に塗布されるインクの輝度よりも小さくすることによって、その最も近い領域のドットの密度を小さくしなくても、出光面の発光を均一にすることができる。
【０００７】
本発明に係る導光板は、前記入光端面に最も近い、前記インクが塗布された領域のドットの密度は、入光端面に２番目に近い領域のドットの密度と同一であり、前記入光端面に最も近い領域に塗布されるインクの輝度は、前記入光端面に２番目に近い領域に塗布されたインクの輝度よりも小さいことが好ましい。
【０００８】
また、本発明に係る導光版は、一の領域に塗布されたドットの径が、該一の領域より前記入光端面よりの前記他の領域に塗布されたドットの径と同一又はそれよりも大きいことが好ましく、前記インクは、スクリーン印刷によって塗布されていることが好ましい。
【０００９】
さらに、本発明は、入光端面から入射された光を散乱させ、散乱させた光を出光面から光を出光する導光板の出光面と反対側の反射面の一の領域に光拡散材含有インクを複数のドット状に塗布する第１塗布工程と、前記一の領域に塗布されるインクの輝度と同一又はそれより大きな輝度を有する光拡散材含有インクを前記一の領域よりも入光端面から離れた他の領域に前記一の領域に塗布されたドットの密度と同一又はそれよりも大きな密度で複数のドット状に塗布する第２塗布工程とを備え、前記反射面の前記入光端面により近い領域の輝度がより小さくなるように調整されていることを特徴とする導光板の製造方法であり、前記第１塗布工程は、第２塗布工程の前に行っても良く、その後に行っても良い。
【発明の効果】
【００１０】
以上のように、本発明によれば、量産安定性に優れ、出光面の発光を均一にできる導光板及びその製造方法を提供することができる。
【図面の簡単な説明】
【００１１】
【図１】本実施形態に係る導光板の平面図である。
【図２】図１のＸ−Ｘ線に沿った断面図である。
【図３】ドットの径と輝度との関係を示したグラフである。
【発明を実施するための形態】
【００１２】
次に、本発明に係る導光板の実施形態を図面に基づいて説明する。本実施形態に係る導光板１０は、平板状に形成されており、表面側を出光面１２とし、出光面１２と反対側の面を反射面１４とし、反射面１４に光拡散材含有インクを複数のドット状に塗布することにより、入光端面１６から入射された光を散乱させて出光面１２から出光させるよう構成されている。導光板１０は、例えば、シリコン、ウレタン、ポリカーボネート、又はポリエチレンテレフタレートなど透光性を有する樹脂から構成されている。
【００１３】
導光板１０の上端（図１の上端）より若干下方の位置には、導光板１０の幅方向（図１の左右方向）に延び、かつ出光面１２から反射面１４まで貫通する直方体状の溝１８が形成されており、溝１８には、同形状の透明性のケース２０が設けられており、ケース２０には、ＬＥＤランプ２２が収容されている。したがって、この溝１８の各内面が入光端面１６Ａ、１６Ｂ、１６Ｃ、１６Ｄとして機能するよう構成されている。溝１８は、導光板１０の横幅の概ね半分の長軸の長さを有し、導光板１０の幅方向の中間の位置には、溝１８の幅方向の中心が位置するように形成されている。
【００１４】
導光板１０の反射面１４に塗布された複数のドットは、図１に示すように複数の領域に区分けされている。下側入光端面１６Ａの下方に位置し、それに最も近い光拡散領域Ａは、長方形状に形成されており、光拡散領域Ａの左右両側には、光拡散領域Ａと同じ面積を有する長方形状の光拡散領域Ｂ、Ｃが形成されている。さらに、これら光拡散領域Ａ、Ｂ、Ｃそれぞれの下方には、光拡散領域Ａ、Ｂ、Ｃよりも大きな面積を有する長方形状の光拡散領域Ｄ乃至Ｐが、横３×縦４で並列させて設けられている。光拡散領域Ａ乃至Ｐに塗布された各ドットの中心間距離は、いずれも同一である。したがって、各領域の各ドットの径を長くすることによって、その領域のドットの密度を大きくすることができ、各ドットの径を短くすることによって、その領域のドットの密度を小さくすることができる。
【００１５】
ＬＥＤランプ２２に最も近い光拡散領域Ａのドットの径は、光拡散領域Ｂ、Ｃ、Ｄのドットの径と同一であるが、光拡散領域Ａに塗布されるインクは、光拡散領域Ｂ、Ｃ、Ｄに塗布されるインクよりも輝度が小さいものが選択されている。
【００１６】
インクの輝度は、例えば、含有する光拡散材の材質や径、光拡散材とバインダとの比率などにより調整することができる。光拡散材としては、例えば、ルチル型酸化チタンやチタン酸バリウムを用いることができる。
【００１７】
ドットの径と輝度との関係の例を図３に示す。図３は、厚さ２００μｍのウレタン板の上に、表１に示したインクをスクリーン印刷によってドット状に塗布したものについて、ドットの径と輝度との関係を示したものである。図３より、ドットの径が同じでも、輝度が異なることが分かる。
【００１８】
【表１】
2011065970.tif 000003
【００１９】
具体的にインクＡ及びインクＣを用いて塗布された領域の輝度を検討する。光拡散領域Ａのドットの数を１１、光拡散領域Ｄのドットの数を１４５とし、光拡散領域Ａに、表１に示したインクＡを径０．２０ｍｍのドット状に塗布する。この場合、光拡散領域Ａ全体の輝度は、１１個×１４９．８５Ｃｄ／ｍ２＝１６４８．４Ｃｄ／ｍ２となる。次に、光拡散領域Ａに、表１に示したインクＣを径０．２５ｍｍのドット状に塗布する。この場合、領域Ａ全体の輝度は、１１×１５４Ｃｄ／ｍ２＝１６９４Ｃｄ／ｍ２となる。このように、インクＣを用いれば、ドットの径を長くしてもインクＡを用いた場合と同様の輝度を得ることができる。
【００２０】
同様に、光拡散領域Ｄに、表１に示したインクＡを径０．２０ｍｍのドット状に塗布する。この場合、光拡散領域Ｄ全体の輝度は、１４５個×１４９．８５Ｃｄ／ｍ２＝２１７２８．７Ｃｄ／ｍ２となる。次に、光拡散領域Ｄに、表１に示したインクＣを径０．２５ｍｍのドット状に塗布する。この場合、領域Ｄ全体の輝度は、１４５×１５４Ｃｄ／ｍ２＝２２３００Ｃｄ／ｍ２となる。このように、インクＣを用いれば、ドット径を長くしてもインクＡを用いた場合と同様の輝度を得ることができる。
【００２１】
したがって、本実施形態に係る導光板においては、光拡散領域ＡにインクＣを用い、光拡散領域Ｂ、Ｃ、ＤにインクＡを用いることによって、ドットの径を同一としても、第１光拡散領域Ａ全体の輝度をより小さくすることができる。
【００２２】
光拡散領域Ｅ、Ｆ、Ｇのドットの径は同一であり、光拡散領域Ｂ、Ｃ、Ｄと同様のインクＡを用いるが、ドットの径は、それらより長い。
【００２３】
光拡散領域Ｈ、Ｉ、Ｊのドットの径は同一であり、光拡散領域Ｅ、Ｆ、Ｇと同様のインクＡを用いるが、ドットの径は、それらより長い。
【００２４】
光拡散領域Ｋ、Ｌ、Ｍのドットの径は同一であり、光拡散領域Ｈ、Ｉ、Ｊと同様のインクＡを用いるが、ドットの径は、それらより長い。
【００２５】
光拡散領域Ｎ、Ｐのドットの径は同一であり、光拡散領域Ｋ、Ｌ、Ｍと同様のインクＡを用いるが、ドットの径は、それらより長い。
【００２６】
本実施形態に係る導光板において、ドットは、スクリーン印刷により塗布される。例えば、先ず、スクリーン印刷によって光拡散領域Ａ以外の領域にインクＡを塗布し、その後、パイロットピン方式又はターゲットマーカーを用いたＣＣＤ自動アライメント方式によって、光拡散領域ＡにインクＣを塗布する。
【００２７】
以上のように、本実施形態に係る導光板は、入光端面に最も近い光拡散領域Ａのドットの径を２番目に近い光拡散領域Ｂなどと同一とし、光拡散領域Ｂなどで用いるインクＡよりも輝度の小さいインクＣを光拡散領域Ａに用いているので、光拡散領域Ａのドットの径をスクリーン印刷による量産によってかすれが生じ難い程度の長さにしても、出光面の発光を均一にすることができる。
【００２８】
以上のように、本実施形態に係る導光板においては、入光端面に最も近い光拡散領域Ａのドットの径を２番目に近い光拡散領域Ｂなどと同一としたが、スクリーン印刷による量産によってかすれが生じ難い程度の長さであれば、光拡散領域Ｂなどよりも径を短くしても良い。また、本実施形態に係る導光板においては、２種類の輝度の異なるインクを用いて、入光端面に２番目に近い領域とそれよりも以遠の領域で同一のインクを用いたが、例えば３種類の輝度の異なるインクを用いて、入光端面に最も近い領域、２番目に近い領域及び３番目に近い領域のドットの径を同一とし、用いられるインクの輝度を順に大きくしても良い。
【００２９】
本実施形態に係る導光板は、携帯電話のキーマット、ノートパソコンのキーボード、及びノートパソコンの背面のロゴなど照光に用いることができる。
【符号の説明】
【００３０】
１０  導光板
１２  出光面
１４  反射面
１６  入光端面
１８  溝
２０  ケース
２２  ＬＥＤランプ
【図１】
2011065970.tif 000004
【図２】
2011065970.tif 000005
【図３】
2011065970.tif 000006